(57)【特許請求の範囲】
【請求項１】
建屋の天井部に設置され、熱交換器及びファンを収容して構成されたユニット本体に、吹出口を介して吹出ダクトが延設された空気調和機において、
上記ユニット本体の外表面には、断熱材が貼着され、
上記吹出口は、樹脂材料にて構成され、吹出ダクトが挿入される筒形状のダクト挿入部と、上記ユニット本体に接触して固定されるリング形状のフランジ部とが一体に成形され、
上記フランジ部の外表面の形状が、この外表面に沿って曲げながら一枚の断熱材が貼着される湾曲面形状に構成される一方、上記フランジ部の外表面に対向する内表面には、前記ユニット本体の外表面に貼着された断熱材に食い込んで接触するリブが突設されたことを特徴とする空気調和機。
【請求項２】
上記吹出口のダクト挿入部における外周先端部には、先端へ向かって縮径する傾斜面を備えた挿入面部と、吹出ダクトの内表面に係止する係止部とが形成されたことを特徴とする請求項１に記載の空気調和機。
【発明の詳細な説明】
【０００１】
【発明の属する技術分野】
本発明は、建屋の天井部に設置され、内部に熱交換器およびファンを備え、熱交換された空気を吹き出しダクトを介して室内の適宜位置へ導き吹き出させる空気調和機に関する。
【０００２】
【従来の技術】
一般に、建屋の天井空間に設置され、室内熱交換器およびファンを収容して構成されたユニット本体に、吹出ダクトが延設されたビルトイン型空気調和機が知られている。このようなビルトイン型空気調和機では、室内熱交換器にて熱交換された空気を、吹出ダクトを介して室内の適宜位置へ導き室内に吹き出すことができるので、室内の美観を損なうことなく最適な空気調和を実現できる。
【０００３】
従来、この種のビルトイン型空気調和機には、図８に示すように、パネル仕様ビルトイン型空気調和機１０とダクト仕様ビルトイン型空気調和機２０とがある。パネル仕様ビルトイン型空気調和機１０（図８（Ａ））は、ユニット本体１１の下面に設けられて天井板に設置される天井パネル１２から室内空気を吸い込むものであり、また、電装箱がユニット本体１１内部に配設されている。一方、ダクト仕様ビルトイン型空気調和機２０（図８（Ｂ））は、ユニット本体２１の背面に吸込ダクト２２を設けて、この吸込ダクト２２を介し室内空気を吸い込むものであり、電装箱２３がユニット本体２１の側板の外面に設置されている。
【０００４】
ところで、前記吹出ダクトは、ユニット本体１１、２１に固定して設置された吹出口１４に挿入されて、ユニット本体１１、２１に延設される。
【０００５】
この吹出口１４は、図９に示すように、吹出ダクトが挿入される筒形状のダクト挿入部１５と、ユニット本体１１、２１に接触してこのユニット本体１１、２１に固定されるリング形状のフランジ部１６と、を有して構成される。このフランジ部１６の外表面に、結露防止用の断熱材１７（図１０）が貼着されている。
【０００６】
【発明が解決しようとする課題】
上記ダクト挿入部１５及びフランジ部１６は金属板にて構成され、溶接などにより接合される。従って、吹出口１４におけるダクト挿入部１５及びフランジ部１６の熱伝導率が高く、フランジ部１６周辺に結露が多量に発生しやすい。このため、結露防止用の上記断熱材１７は厚肉構造のものが使用されている。また、この断熱材１７は、フランジ部１６と同様にリング形状に打ち抜き成形されるため、歩留まりが悪い。これらのことから、吹出口１４の製造コストが高くなってしまう。
【０００７】
本発明の目的は、上述の事情を考慮してなされたものであり、吹出口のコストを低減できるとともに、吹出口に貼着される結露防止用の断熱材点数を削減し、断熱材貼着作業工数を低減して、断熱材貼着作業の作業性を向上させることができる空気調和機を提供することにある。
【０００８】
【課題を解決するための手段】
請求項１に記載の発明は、建屋の天井部に設置され、熱交換器及びファンを収容して構成されたユニット本体に、吹出口を介して吹出ダクトが延設された空気調和機において、上記ユニット本体の外表面には、断熱材が貼着され、上記吹出口は、樹脂材料にて構成され、吹出ダクトが挿入される筒形状のダクト挿入部と、上記ユニット本体に接触して固定されるリング形状のフランジ部とが一体に成形され、上記フランジ部の外表面の形状が、この外表面に沿って曲げながら一枚の断熱材が貼着される湾曲面形状に構成される一方、上記フランジ部の外表面に対向する内表面には、前記ユニット本体の外表面に貼着された断熱材に食い込んで接触するリブが突設されたことを特徴とするものである。
【００１０】
請求項２に記載の発明は、請求項１に記載の発明において、上記吹出口のダクト挿入部における外周先端部には、先端へ向かって縮径する傾斜面を備えた挿入面部と、吹出ダクトの内表面に係止する係止部とが形成されたことを特徴とするものである。
【００１１】
請求項１に記載の発明には、次の作用がある。
【００１２】
断熱材が貼着されるフランジ部の外表面は、その外周縁部が湾曲面形状に構成されたことから、フランジ部の外表面に一枚の断熱材を、湾曲面に沿って曲げながら貼着できる。このため、一個の吹出口のフランジ部外表面に貼着される断熱材点数を一枚とすることができるとともに、一個の吹出口のフランジ部外表面に一工程で断熱材を貼着できるので、断熱材貼着作業の作業性を向上させることができる。
【００１３】
また、吹出口が樹脂材料にて構成されたことから、吹出口のコストを低減できる。更に、吹出口が樹脂材料にて構成されたことから、この吹出口の熱伝導率が低下し、吹出口のフランジ部周辺に発生する結露を抑制できる。このため、フランジ部の外表面に貼着される結露防止用の断熱材を薄肉化でき、吹出口のコストを低減できる。
【００１５】
さらに、吹出口のフランジ部において、ユニット本体に接触する内表面にリブが突設されたことから、フランジ部の強度を増大して、吹出口の剛性を向上させることができるとともに、フランジ部の薄肉化も実現できる。
【００１６】
また、吹出口のフランジ部における内表面のリブがユニット本体に接触することから、これらのリブとユニット本体との接触面圧が増大して、ユニット本体の外表面に貼着された断熱材にリブが食い込む。この結果、、吹出口のフランジ部とユニット本体とのシール性を向上させることができる。
【００１７】
請求項２に記載の発明には、次の作用がある。
【００１８】
吹出口のダクト挿入部における外周先端部に、先端へ向かって縮径する傾斜面を備えた挿入面部と、吹出ダクトの内表面に係止する係止部とが形成されたことから、挿入面部の作用で、吹出口のダクト挿入部に吹出ダクトを容易に挿入できる。また、係止部が、ダクト挿入部に挿入された吹出ダクトの内表面に係止することによって、吹出ダクトの吹出口からの脱落を防止できる。
【００１９】
【発明の実施の形態】
以下、本発明の実施の形態を、図面に基づき説明する。
【００２０】
図１は、本発明に係る空気調和機が適用されたビルトイン型空気調和機の第一の実施の形態を示し、（Ａ）がパネル仕様ビルトイン型空気調和機、（Ｂ）がダクト仕様ビルトイン型空気調和機をそれぞれ示す側面図である。
【００２１】
図１（Ａ）に示すパネル仕様ビルトイン型空気調和機３０と、図１（Ｂ）に示すダクト仕様ビルトイン型空気調和機４０は、ともに、建屋３１の天井３２と天井板３３との間の天井空間３４内に懸吊して配設され、ユニット本体３５、吹出ダクト３６及び運転制御用の電装箱３７を有して構成される。
【００２２】
上記ユニット本体３５の箱体５４は、互いに対向配置されて四角枠形状に設けられた４枚の側板３８の上縁部に天板３９が、下縁部の一部にドレンパン押え板４６がそれぞれ固定されて構成される。これらの側板３８、天板３９及びドレンパン押え板４６の内外表面または、内側もしくは外側表面（本実施の形態では外側表面）に断熱材が貼着されている。
【００２３】
このユニット本体３５の箱体５４の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。
【００２４】
このユニット本体３５は箱体５４の内部に、図示しない室内熱交換器、ファンおよびファンモータが収容して構成される。上記室内熱交換器は、図２及び図３に示す冷媒配管接続口４３に接続された冷媒配管（ガス管）、及び冷媒配管接続口４４に接続された冷媒配管（液管）を用いて、図示しない室外機に接続される。ユニット本体３５の室内熱交換器５５は、室外機から導かれる冷媒の蒸発または凝縮により、後述の如くユニット本体３５内に吸い込まれた空気を冷却し又は暖房する。
【００２５】
尚、図２、図３中の符号４５Ａはドレン配管接続口を示し、符号４５Ｂはドレン排出口を示す。
【００２６】
図１に示す上記吹出ダクト３６は、通常、複数本がユニット本体３５から延設されている。吹出ダクト３６のそれぞれは、ユニット本体３５の箱体５４の一つの側板３８Ａに一体に設置された吹出口４７（図２、図３）に一端が嵌装され、他端に吹出グリル４８が取付けられる。この吹出グリル４８は、天井板３３の適宜位置に設置される。ユニット本体３５のファンの回転により、後述の如くユニット本体３５内に室内空気が吸い込まれ、室内熱交換器により熱交換された空気が、吹出ダクト３６を経て吹出グリル４８から室内へ吹き出される。
【００２７】
ところで、図１（Ａ）及び図２に示すパネル仕様ビルトイン型空気調和機３０は、ユニット本体３５の下部開口に天井パネル４９が嵌装されたものである。この天井パネル４９は、中央位置に吸込板５０を備え、この吸込板５０との隙間から室内空気を吸い込み、ユニット本体３５内へ導入する。
【００２８】
また、図１（Ｂ）及び図３に示すダクト仕様ビルトイン型空気調和機４０は、ユニット本体３５の箱体５４の一つの側板３８で、吹出口４７が設置された側板３８Ａに対向する側板（すなわちダクト仕様ビルトイン型空気調和機４０の背面側板３８Ｂ）に、図示しない吸込開口が形成され、この側板３８（背面側板３８Ｂ）に、例えばフィルタボックス５１を介して、通常一本の吸込ダクト５２が連設されたものである。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。
【００２９】
尚、ダクト仕様ビルトイン型空気調和機４０のユニット本体３５の下部開口は、遮風板５７により閉じられる。本実施の形態では、この遮風板５７の外側にも断熱材が貼着されている。また、上記電装箱３７は、図１に示すように、ユニット本体３５の側板３８のうち、吹出ダクト３６または吸込ダクト５２が配設されていない側板３８Ｃに取付けられる。
【００３０】
さて、ユニット本体３５の箱体５４に設置された前記吹出口４７は、図４（Ａ）及び（Ｂ）に示すように、樹脂材料にて構成され、筒形状のダクト挿入部５８と、リング形状のフランジ部５９とが、例えば射出成形法により一体に成形されたものである。
【００３１】
ダクト挿入部５８に吹出ダクト３６が挿入可能とされる。また、フランジ部５９がユニット本体３５における箱体５４の側板３８Ａに接触して、図示しないビスなどによって固定されることにより、吹出口４７がユニット本体３５に固定して取り付けられる。図４中の符号６４は、上記ビスが挿通するビス穴である。
【００３２】
このフランジ部５９の外表面６０に、図６に示すように結露防止用の断熱材６２（例えば、ポリエチレンまたは発泡スチロールなど）が貼着される。この外表面６０には、その外周縁部に、内表面６１に至る湾曲面６３Ａが形成されている。
【００３３】
従って、図５に示す展開状態で直線形状の一枚の断熱材６２を、フランジ部５９の外表面６０における平坦面６３Ｂに接着すると同時に、その断熱材６２の外周縁部を湾曲面６３Ａに沿って曲げながらこの湾曲面６３Ａに貼着することにより、一枚の断熱材６２を用いて一工程で、フランジ部５９の外表面６０を全て覆うことが可能となる。尚、図５の符号７２は、吹出口４７のフランジ部５９におけるビス穴６４に対応する切欠である。
【００３４】
ここで、図７に示す吹出口６５のように、フランジ部６６の外周縁部にエッジ６７が形成されている場合には、フランジ部６６の外表面は、このエッジ６７を境に、平坦な外表平面６８と、同じく平坦な外表周面６９とに区画される。このため、フランジ部６６の外表面を全て断熱材で覆うためには、フランジ部６６の外表平面６８に一枚の断熱材７０を貼着し、外表周面６９に他の一枚の断熱材７１を貼着する必要があり、断熱材点数が２枚となってしまう。
【００３５】
一方、フランジ部５９の内表面６１は、前述の如く、ユニット本体３５における箱体５４の側板３８Ａに接触するが、図４（Ｃ）に示すように、この内表面６１にリブ７３が突設される。このリブ７３は、内表面６１の内周縁部に設けられた内周リブエレメント７３Ａと、内表面６１の外周縁部に設けられた外周リブエレメント７３Ｂと、これらの内周リブエレメント７３Ａと外周リブエレメント７３Ｂを連続して、内表面６１の周方向に適宜設けられたブリッジリブエレメント７３Ｃとを有してなる。
【００３６】
フランジ部５９の内表面６１にリブ７３が形成されることにより、フランジ部５９が薄肉化されても、このフランジ部５９の強度が確保される。また、吹出口４７の箱体５４への取り付け時には、このリブ７３が、箱体５４の側板３８の外表面に貼着された断熱材（不図示）に食い込んで接触する。
【００３７】
また、図４（Ｂ）に示すように、吹出口４７のダクト挿入部５８には、外周先端部に挿入面部７４及び係止部７５が一体成型される。挿入面部７４は、ダクト挿入部５８の先端へ向かって縮径する傾斜面７６を備え、この傾斜面７６が吹出ダクト３６の挿入時にこの吹出ダクト３６を案内する。また、傾斜面７６の最も拡径した部分からダクト挿入部５８の外周面に向かってほぼ直交する係止面７７が設けられるが、上記係止部７５は、この係止面７７の最も外側の部分として構成される。この係止部７５は、ダクト挿入部５８に挿入された吹出ダクト３６の内周面に係止する。
【００３８】
従って、上記実施の形態によれば、次の効果▲１▼〜▲５▼を奏する。
【００３９】
▲１▼吹出口４７において断熱材６２が貼着されるフランジ部５９の外表面６０は、その外周縁部に湾曲面６３Ａが形成されたことから、フランジ部５９の外表面６０に一枚の断熱材６２を、湾曲面６３Ａに沿って曲げながら貼着できる。このため、一個の吹出口４７におけるフランジ部５９の外表面６０に貼着される断熱材点数を一枚とすることができるとともに、一個の吹出口４７におけるフランジ部５９の外表面６０に一工程で断熱材６２を貼着できるので、断熱材６２の貼着作業の作業性を向上させることができる。
【００４０】
▲２▼吹出口４７が樹脂材料にて構成されたことから、この吹出口４７のコストを低減できる。更に、吹出口４７が樹脂材料にて構成されたことから、この吹出口４７の熱伝導率が低下し、吹出口４７のフランジ部５９周辺に発生する結露を抑制できる。このため、フランジ部５９の外表面６０に貼着される結露防止用の断熱材６２を薄肉化でき、吹出口４７のコストを低減できる。
【００４１】
▲３▼吹出口４７のフランジ部５９において、ユニット本体３５の箱体５４に接触する内表面６１にリブ７３が突設されたことから、フランジ部５９の強度を増大して吹出口４７の剛性を向上させることができるとともに、フランジ部５９の薄肉化を実現できる。
【００４２】
▲４▼吹出口４７のフランジ部５９における内表面６１のリブ７３がユニット本体３５の箱体５４に接触することから、これらのリブ７３と箱体５４との接触面圧が増大して、箱体５４の側板３８Ａの外表面に貼着された断熱材にリブ７３が食い込む。この結果、吹出口４７のフランジ部５９とユニット本体３５の箱体５４とのシール性を向上させることができる。
【００４３】
▲５▼吹出口４７のダクト挿入部５８における外周先端部に、先端へ向かって縮径する傾斜面７６を備えた挿入面部７４と、吹出ダクト３６の内表面に係止する係止部７５とが形成されたことから、挿入面部７４の作用で、吹出口４７のダクト挿入部５８に吹出ダクト３６を容易に挿入できる。また、係止部７５が、ダクト挿入部５８に挿入された吹出ダクト３６の内表面に係止することによって、吹出ダクト３６の吹出口４７からの脱落を防止できる。
【００４４】
以上、本発明を上記実施の形態に基づいて説明したが、本発明はこれに限定されるものではない。
【００４５】
【発明の効果】
以上のように、本発明に係る空気調和機によれば、ダクト挿入部とフランジ部とが樹脂材料にて一体に成形されて吹出口が構成され、上記フランジ部の、断熱材が貼着される外表面には、外周縁部に湾曲面が形成されたことから、吹出口のコストを低減できるとともに、吹出口に貼着される結露防止用の断熱材点数を削減し、断熱材貼着作業工数を低減して、断熱材貼着作業の作業性を向上させることができる。
【図面の簡単な説明】
【図１】本発明に係る空気調和機が適用されたビルトイン型空気調和機の一実施の形態を示し、（Ａ）がパネル仕様ビルトイン型空気調和機、（Ｂ）がダクト仕様ビルトイン型空気調和機のそれぞれ側面図である。
【図２】図１（Ａ）におけるパネル仕様ビルトイン型空気調和機のユニット本体を示す斜視図である。
【図３】図１（Ｂ）におけるダクト仕様ビルトイン型空気調和機のユニット本体を示す斜視図である。
【図４】図２及び図３の吹出口を示し、（Ａ）が半断面正面図、（Ｂ）が平面図、（Ｃ）が裏面図である。
【図５】図４の吹出口のフランジに貼着される断熱材を示す展開図である。
【図６】フランジ部に図５の断熱材を貼着した図４の吹出口を示す正面図である。
【図７】フランジ部に断熱材を貼着した図４の吹出口の比較例を示す正面図である。
【図８】従来のビルトイン型空気調和機を示し、（Ａ）がパネル仕様ビルトイン型空気調和機、（Ｂ）がダクト仕様ビルトイン型空気調和機のそれぞれ部分斜視図である。
【図９】図８の吹出口を示し、（Ａ）が正面図、（Ｂ）が平面図である。
【図１０】図９の吹出口のフランジ部に貼着される断熱材を示す平面図である。
【符号の説明】
３０  パネル仕様ビルトイン型空気調和機
３１  建屋
３２  天井
３４  天井空間
３５  ユニット本体
３６  吹出ダクト
４０  ダクト仕様ビルトイン型空気調和機
４７  吹出口
５８  ダクト挿入部
５９  フランジ部
６０  外表面
６１  内表面
６２  断熱材
６３Ａ  湾曲面
７３  リブ
７４  挿入面部
７５  係止部
７６  傾斜面
【図１】
0003895885.tif 000002
【図２】
0003895885.tif 000003
【図３】
0003895885.tif 000004
【図４】
0003895885.tif 000005
【図５】
0003895885.tif 000006
【図６】
0003895885.tif 000007
【図７】
0003895885.tif 000008
【図８】
0003895885.tif 000009
【図９】
0003895885.tif 000010
【図１０】
0003895885.tif 000011